(57)【要約】【課題】  野菜調理器において、そのデザイン性を考慮するのみならず、使用者の立場を優先した人間工学上の理念を満たす新機軸の調理器を提供する。【解決手段】  全体が楕円形状の開口部を有する受器体１の底面部２を楕円形の球面形状に形成するとともにその左右両側面部４，４を垂直形状に形成し、前記球面形状に成る底面部の中央に水平面部３を形成し、前記受器体に被嵌する全体が楕円形状の開口部を有する蓋体６の平面中央部に球面形状に成る凹面部７を形成し、この凹面部上に前記受器体の底面部を嵌置するとともに受器体の開口部上に載置する任意の調理器材１０，１１，１２，１３に対する手動加圧時に前記受器体の底面部が蓋体の凹面部上を自在に作動し得るように成るものである。【選択図】    図１
2007020991.tif 000002
【特許請求の範囲】
【請求項１】
全体が楕円形状の開口部を有する受器体の底面部を楕円形の球面形状に形成するとともに中央に水平面部を形成し、この底面部の左右両側面部は垂直形状に形成し、このように成る受器体の開口部上に任意の調理器材を載置して成ることを特徴とする野菜調理器。
【請求項２】
全体が楕円形状の開口部を有する受器体の底面部を楕円形の球面形状に形成するとともに中央に水平面部を形成し、この底面部の左右両側面部は垂直形状に形成し、前記底面部の前記受器体に被嵌する全体が楕円形状の開口部を有する蓋体の平面中央部に球面形状の凹面部を形成し、この凹面部上に前記受器体の底面部を嵌置するとともに受器体の開口部上に載置する任意の調理器材に対する手動加圧時に受器体底面部が蓋体凹面部上を自在に作動し得るように成ることを特徴とする野菜調理器。
【請求項３】
蓋体が透明性に成る請求項１に記載する野菜調理器。
【請求項４】
各種調理器材を本器体の開口部上に載置するとともに蓋体を被嵌して収容するように成る請求項１に記載する野菜調理器。
【発明の詳細な説明】
【技術分野】
【０００１】
本発明は、家庭用又は業務用として使用する野菜調理器に関するものである。
【背景技術】
【０００２】
本発明に係る出願人はすでに実用新案登録第３１０９２０２号に係る考案を実施化しているが、これは、台座の球形状に成る凹面部に球形状に成る底面部を有する器体を自在に回動し得るように載置し、前記器体の開口部に載置する各種調理器材に対する手による上方からの加圧力に合わせて、前記器体が台座の凹面部上を作動し調理作業をするようにしたものであり、使用者の手腕に疲労が蓄積することを未然に防止する人間工学上の目的を達成せんとしているものである。
【０００３】
【特許文献１】登録実用新案第３１０９２０２号公報
【発明の開示】
【発明が解決しようとする課題】
【０００４】
そこで、本発明は、デザイン性を優先するこの種物品において、使用者の立場を優先した人間工学上の理念を満たす新機軸の野菜調理器を提供することを目的とするものである。
【課題を解決するための手段】
【０００５】
本発明は、全体が楕円形状の開口部を有する受器体の底面部を楕円形の球面形状に形成するととともに中央に水平面部を形成し、この底面部の左右両側面部は垂直形状に形成し、このように成る受器体の開口部上に任意の調理器材を載置して成るものである。
【０００６】
また本発明は、全体が楕円形状の開口部を有する受器体の底面部を楕円形の球面形状に形成するとともにその左右両側面部を垂直形状に形成し、前記球面形状に成る底面部の中央に水平面部を形成し、前記受器体に被嵌する全体が楕円形状の開口部を有する蓋体の平面中央部に球面形状に成る凹面部を形成し、この凹面部上に前記受器体の底面部を嵌置するとともに受器体の開口部上に載置する任意の調理器材に対する手動加圧時に前記受器体の底面部が蓋体の凹面部上を自在に作動し得るように成るものである。
【発明の効果】
【０００７】
調理器の使用者の利き手のいかんを問わず、大根や人参などの野菜を手動によって切削する作業は、受器体の底面部の蓋体の凹面部への自由な角度変化によって調整できるようになるから、手腕に与える疲労度は殆どなくなり、何人も常に健全な状態で調理作業を行うことができる。したがって、業務用であっても長時間の切削作業を繰返して行うことができるようになる。
【０００８】
受器体又は蓋体の全体を粘弾性樹脂材によって構成することによって、受器体又は蓋体を卓上に置いても野菜の切削作業は常に安定性よく確実に行うことができるし、手掌部内に把持して置いても滑り止め効果があるから、やはり安定した切削作業を確実にすることができる。
【発明を実施するための最良の形態】
【０００９】
本発明器の使い方には、次のような場合がある。
【００１０】
第１に、図２及び図４に示すように、受器体を下方に位置せしめて卓上に置き、受器体の上方開口部の周縁部内に各種調理器材を積載せしめた後、蓋体を被嵌し、全体を収容状態にして置くが、この状態においては函容器に収納するようになる。
【００１１】
第２に、図３及び図５に示すように、蓋体を開口部を下向きに位置せしめて卓上に置き、蓋体の凹面部上に受器体の底面部を載置し、この受器体の開口部上に任意の切削用調理器材の一つを載せる。しかる後に、調理器材上に野菜を置いて手動作業すると、使用する左右利き手による前後運動に合わせて受器体の底面部は蓋体の凹面部上を角度を自在に調整しながら作動するようになり、作業中も抵抗が起ることなく手の運動は自由円滑に行われる。
【００１２】
第３に、図６又は図７に示すように、使用者はその利き手のいかんを問わず、受器体をその底面部を一方の手掌部に把持しかつ指部を垂直状に成る左右両側部に当接して固定する。しかる後に、受器体の開口部に載置した任意の調理器材に野菜をおき、他方の利き手を作動して切削するようにする。
【００１３】
この際、受器体を把持する一方の手掌部は、他方の利き手の加圧作動に合わせて左右前後の３６０度方向に自在に揺動することができるから、前記第２の作用形態における受器体の底面部が蓋体の凹面部上を自在に角度調整しながら作動する場合と、実質的に同じ作用をすることになる。
【実施例】
【００１４】
１は把手を有する全体が楕円形状の開口部を有して成る受器体で、この受器体の底面部２は楕円形の球面形状に成りかつその中央に水平面部３を形成する。
【００１５】
前記受器体１の底面部２の左右両側面部４，４は垂直形状に成る。
【００１６】
この受器体１は、粘弾性のある合成樹脂材によって構成するから、左右いずれの手掌部で把持したときでも滑り止め効果がある。
【００１７】
５は受器体１の周縁部で、この周縁部はその内側段部５'より外方に突出している。
【００１８】
６は前記受器体１に被嵌する全体が楕円形状の開口部を有して成る透明性の蓋体で、この蓋体の中央部には球面形状の凹面部７を形成する。
【００１９】
この蓋体についても、前記受器体と同様の合成樹脂材によって構成してもよいが、この場合には、受器体は硬質樹脂材によって構成する。
【００２０】
８は前記蓋体６の周縁部で、この周縁部の一部には切欠口９を設ける。この切欠口は前記受器体１に嵌合したとき、その把手部上方に位置するようになる。
【００２１】
１０，１１，１２，１３は前記受器体１の周縁部５の内側段部５'に嵌置する各種の調理器材であり、その器材の用途構造は任意である。
【図面の簡単な説明】
【００２２】
【図１】全体各部材の斜視図
【図２】一使用時の正断面図
【図３】他使用時の正断面図
【図４】全体各部材の収容時の斜視図
【図５】他使用時の斜視図
【図６】左手に受器体を把持した使用例
【図７】右手に受器体を把持した使用例
【符号の説明】
【００２３】
１                      受器体
２                      底面部
３                      水平面部
４，４                  左右両側面部
５                      周縁部
５'                    内側段部
６                      蓋体
７                      凹面部
８                      周縁部
９                      切欠口
１０，１１，１２，１３  調理器材
【図１】
2007020991.tif 000003
【図２】
2007020991.tif 000004
【図３】
2007020991.tif 000005
【図４】
2007020991.tif 000006
【図５】
2007020991.tif 000007
【図６】
2007020991.tif 000008
【図７】
2007020991.tif 000009